(57)【要約】      （修正有）【課題】表示データ編集装置から表示装置へのデータ転送を効率的に行い、データ転送に要する通信時間を大幅に短縮した電光表示システムを提供する。【解決手段】  表示データを構成する番組データのうちの一部のデータを変更した場合に、変更のあった番組データのみを表示データ編集装置から表示装置へ転送する。また、表示データ編集装置から表示装置へ表示データを転送するにあたり、表示装置側に記憶保持している表示データと、転送しようとする表示データとを比較し、比較結果が異なった場合に表示データへの編集操作があったのか、あるいは表示データが破損したのかを判別する。さらにその結果に応じて表示データを更新するのか、表示データに異常が発生したことを報知するのかを予め設定する。【選択図】なし【特許請求の範囲】
【請求項１】
複数配列した発光素子を点滅して文字や画像等を発光表示する電光表示システムにおいて、
発光素子をマトリクス状に配列して表示画面を構成すると共に、表示画面上に表示する表示データを予め記憶する表示装置と、
表示データを作成すると共に、表示データのうちの常に一連で表示するデータをまとめた番組データごとに番組名と巡回冗長検査コードを付与する表示データ編集装置とを備え、
表示装置に記憶している表示データに含まれる番組データと、表示データ編集装置から表示装置に転送しようとする表示データに含まれる番組データとを比較して、同じ番組名でありながら巡回冗長検査コードの値が異なる番組データのみをデータ更新の対象とすることを特徴とする電光表示システム。  
【請求項２】
複数配列した発光素子を点滅して文字や画像等を発光表示する電光表示システムにおいて、
発光素子をマトリクス状に配列して表示画面を構成すると共に、表示画面上に表示する表示データを予め記憶する機能、および記憶した表示データの内容を編集する機能、および表示データに関する編集作業の有無を示すフラグ情報を、表示データのうちの常に一連で表示するデータをまとめた番組データごとに与える機能を備える表示装置と、
新規に表示データを作成する機能、および既存表示データを編集する機能、および既存表示データを編集した際に編集作業の有無を示すフラグ情報を、表示データのうちの常に一連で表示するデータをまとめた番組データごとに与える機能、および番組データごとに番組名と巡回冗長検査コードを付与する機能を備える表示データ編集装置とを備え、
表示装置に記憶している表示データに含まれる番組データと、表示データ編集装置から表示装置に転送しようとする表示データに含まれる番組データとを比較し、同じ番組名でありながら巡回冗長検査コードの値が異なり、かつ表示装置側でも表示データ編集装置側でも編集作業が行われていない番組データを異常データと判断することを特徴とする電光表示システム。
【請求項３】
複数配列した発光素子を点滅して文字や画像等を発光表示する電光表示システムにおいて、
発光素子をマトリクス状に配列して表示画面を構成すると共に、表示画面上に表示する表示データを予め記憶する機能、および記憶した表示データの内容を編集する機能、および表示データに関する編集作業の有無を示すフラグ情報を、表示データのうちの常に一連で表示するデータをまとめた番組データごとに与える機能を備える表示装置と、
新規に表示データを作成する機能、および既存表示データを編集する機能、および既存表示データを編集した際に編集作業の有無を示すフラグ情報を、表示データのうちの常に一連で表示するデータをまとめた番組データごとに与える機能、および番組データごとに番組名と巡回冗長検査コードを付与する機能を備える表示データ編集装置とを備え、
表示装置に記憶している表示データに含まれる番組データと、表示データ編集装置から表示装置に転送しようとする表示データに含まれる番組データとを比較し、同じ番組名でありながら巡回冗長検査コードの値が異なり、かつ表示装置側でも表示データ編集装置側でも編集作業が行われていない番組データが表示装置に存在するとき、その番組データに異常が発生したと判断して報知するか、あるいはその番組データの内容を更新するかを設定できるようにしたことを特徴とする電光表示システム。
【発明の詳細な説明】
【技術分野】
【０００１】
本発明は、ＬＥＤ（発光ダイオード）等の発光体をプリント基板上にドットマトリクス状に配列し、各発光体を選択的に発光させることで文字、図形、記号、模様等を表示する表示装置と、この表示装置に表示する表示データを作成する表示データ編集装置とを備えた電光表示システムに関する。
【背景技術】
【０００２】
従来、ＬＥＤをプリント基板上に複数配置し、選択的に点滅駆動することで文字・画像等を発光表示する表示装置が知られている。また下記特許文献１に開示されているように、表示装置から離れた場所に表示データ編集装置を設置し、インターネット網や電話回線網を介して表示データを表示装置へ転送するようにした表示システムも知られている。このような表示システムでは、表示装置と表示データ編集装置はそれぞれ単独で機能しており、必要な時のみ通信回線や記憶メディアを表示装置に接続して表示データを送り込むようにしている。
【特許文献１】特開平６−１３０９１１号
【発明の開示】
【発明が解決しようとする課題】
【０００３】
表示データ編集装置で作成される表示データには、データを取り扱う上での最も小さな取扱い単位として番組データという概念がある。この番組データとは、個々に表示動作を行う文章や画像がいくつか集まって全体として一連のまとまった表示動作を行うものである。業種やサービス内容、季節、時間帯といった観点から関連性のある文章や画像を集めて番組を構成することにより、表示内容の切り換えが番組単位でまとめて行われ、リモコンのような簡易的な入力装置でも簡単に操作を行えるようにしている。何種類か作成した番組データを表示データ編集装置から表示装置へ転送しておき、表示装置が設置された現場で装置に向かってリモコンで所望の番組を選択するのである。実際に表示画面を確認しながら表示内容を切り換えることができ、また文章程度であれば番組データを構成する１つ１つのデータ内容にその場で手を加えることもできるため、表示器をとりまく周囲の状況に応じてきめ細かな運用を行うことができる。
【０００４】
しかしながら、このような従来の表示装置では、表示データ編集装置から表示装置へのデータ転送に長い時間を要するという問題があった。表示データ編集装置で作成した表示データには複数種類の番組データが含まれているが、そのうちの一部の番組データだけを内容変更した場合であっても、内容を変更していないその他の番組データを含む表示データ全体をデータ転送するようにしていた。そのため、多くの場合は、実際に変更のあった分よりはるかに大きなデータを表示装置へ送る結果となり、本来は不要な長い通信時間を費やしていた。
【０００５】
本発明は以上のような問題点を解決することを目的としており、表示データを構成する番組データのうちの一部の内容を変更した場合に、変更のあった番組のみを表示データ編集装置から表示装置へ転送する電光表示システムを提供することを目的としている。また、表示データ編集装置から表示装置へ表示データを転送するにあたり、表示装置側に記憶保持している表示データと、転送しようとする表示データとを比較し、比較結果が異なった場合に表示装置側でリモコン編集があったのか、あるいは表示データが破損したのかを判別することができ、さらにその結果に応じて表示データを更新するのか、表示データに異常が発生したことを報知するのかを設定できるようにした電光表示システムを提供することを目的としている。
【課題を解決するための手段】
【０００６】
本発明は、上記課題を解決するために、複数配列した発光素子を点滅して文字や画像等を発光表示する電光表示システムにおいて、発光素子をマトリクス状に配列して表示画面を構成すると共に、表示画面上に表示する表示データを予め記憶する表示装置と、表示データを作成すると共に、表示データのうちの常に一連で表示するデータをまとめた番組データごとに番組名と巡回冗長検査コードを付与する表示データ編集装置とを備え、表示装置に記憶している表示データに含まれる番組データと、表示データ編集装置から表示装置に転送しようとする表示データに含まれる番組データとを比較して、同じ番組名でありながら巡回冗長検査コードの値が異なる番組データのみをデータ更新の対象とすることを特徴とする電光表示システムを提案する。
【０００７】
また、複数配列した発光素子を点滅して文字や画像等を発光表示する電光表示システムにおいて、発光素子をマトリクス状に配列して表示画面を構成すると共に、表示画面上に表示する表示データを予め記憶する機能、および記憶した表示データの内容を編集する機能、および表示データに関する編集作業の有無を示すフラグ情報を、表示データのうちの常に一連で表示するデータをまとめた番組データごとに与える機能を備える表示装置と、新規に表示データを作成する機能、および既存表示データを編集する機能、および既存表示データを編集した際に編集作業の有無を示すフラグ情報を、表示データのうちの常に一連で表示するデータをまとめた番組データごとに与える機能、および番組データごとに番組名と巡回冗長検査コードを付与する機能を備える表示データ編集装置とを備え、表示装置に記憶している表示データに含まれる番組データと、表示データ編集装置から表示装置に転送しようとする表示データに含まれる番組データとを比較し、同じ番組名でありながら巡回冗長検査コードの値が異なり、かつ表示装置側でも表示データ編集装置側でも編集作業が行われていない番組データを異常データと判断することを特徴とする電光表示システムを提案する。
【０００８】
また、複数配列した発光素子を点滅して文字や画像等を発光表示する電光表示システムにおいて、発光素子をマトリクス状に配列して表示画面を構成すると共に、表示画面上に表示する表示データを予め記憶する機能、および記憶した表示データの内容を編集する機能、および表示データに関する編集作業の有無を示すフラグ情報を、表示データのうちの常に一連で表示するデータをまとめた番組データごとに与える機能を備える表示装置と、新規に表示データを作成する機能、および既存表示データを編集する機能、および既存表示データを編集した際に編集作業の有無を示すフラグ情報を、表示データのうちの常に一連で表示するデータをまとめた番組データごとに与える機能、および番組データごとに番組名と巡回冗長検査コードを付与する機能を備える表示データ編集装置とを備え、表示装置に記憶している表示データに含まれる番組データと、表示データ編集装置から表示装置に転送しようとする表示データに含まれる番組データとを比較し、同じ番組名でありながら巡回冗長検査コードの値が異なり、かつ表示装置側でも表示データ編集装置側でも編集作業が行われていない番組データが表示装置に存在するとき、その番組データに異常が発生したと判断して報知するか、あるいはその番組データの内容を更新するかを設定できるようにしたことを特徴とする電光表示システムを提案する。
【発明の効果】
【０００９】
請求項１記載の発明によれば、表示データ編集装置で作成するひとまとまりの番組データ毎に巡回冗長検査コード（ＣＲＣ）が付与されると共に、番組データが複数集まって表示データが構成される。そして、表示データ編集装置から表示装置へ新たに表示データを転送する際に、表示装置に既に記憶している表示データに含まれる番組データのＣＲＣの値と、今回転送する表示データに含まれる番組データのＣＲＣの値とを比較して、同じ番組名でありながらＣＲＣの値が異なる番組データのみをデータ更新の対象とする。表示装置に転送済みの表示データを基にしてその一部分に編集を加えた場合には、内容が変更された番組データのみＣＲＣの値が変化することから、表示内容に変更のあった番組データだけを表示データ編集装置から表示装置へ転送することができ、データ転送時間を大幅に短縮することができる。
【００１０】
請求項２記載の発明によれば、表示装置側で記憶している表示データの内容を編集した際に、編集作業の有無を示すフラグ情報を番組データ毎に付与する機能を表示装置に備え、一方の表示データ編集装置にも、既に作成してある既存の表示データの内容を編集した際に、編集作業の有無を示すフラグ情報を番組データ毎に付与する機能を備える。そして、表示データ編集装置から表示装置へ表示データを転送する際に、表示装置に既に記憶している表示データに含まれる番組データと、表示データ編集装置から表示装置に転送しようとする表示データに含まれる番組データとを比較して、同じ番組名でありながらＣＲＣの値が異なり、かつ表示装置側でも表示データ編集装置側でも編集作業が行われていない番組データを異常データと判断する。したがって、表示データ編集装置から表示装置へ表示データを転送するにあたり、表示装置側に記憶している表示データの各番組データ毎に異常が発生しているか否かを確認することができる。
【００１１】
請求項３記載の発明によれば、表示装置に記憶している表示データに含まれる番組データと、表示データ編集装置から表示装置に転送しようとする表示データに含まれる番組データとを比較して、表示装置側に記憶している表示データの各番組データ毎に異常が発生しているか否かを確認することができ、さらに異常が発生した番組データを特定しつつ正常な番組データで上書きを行い、表示装置の表示動作に支障が無いよう対処することができる。
【００１２】
以下、本発明による好適な実施形態を図面を参照しながら説明する。
【実施例】
【００１３】
図１は本発明実施例に関わる電光表示システムの全体構成を示すブロック図である。１は表示データ編集装置で、パソコンに表示データ編集用のアプリケーションプログラムをインストールして構成しており、後述する表示装置で表示動作を行うために必要な表示データや表示スケジュールデータを作成する。また、表示データや表示スケジュールデータを表示装置側にデータ転送したり、データ転送時の処理手順等の設定を行うことができる。２は表示装置であり、以下その構成について説明する。３は表示画面で、プリント基板上に複数のＬＥＤをドットマトリクス状に配列して構成する。この表示画面には複数の文字を表示したり、マトリクス面を使ってグラフィックを表示することが可能で、図示の例では、１６×１６ドットのマトリックスで表される全角サイズの文字が横方向に３文字、縦方向に２文字、合計６文字表示可能であり、４８×３２ドットのマトリックスを構成している。４はコモンドライバで、表示部３にドットマトリクス配列したＬＥＤの行方向ラインを列方向にスキャンする。５はセグメントドライバで、コモンドライバ４によってスキャン駆動する行方向ラインにＬＥＤ点滅データを与える。６はメモリで、表示装置全体の動きに関する動作プログラムが記憶された制御プログラム記憶部６ａと、文字コードに置きかえられたキャラクタがドットパターンで記憶される表示用フォント記憶部６ｂと、キャラクタデータからなる文字・文章の表示データや、ドット情報の集まりで表現されるイメージデータからなる画像の表示データなどを複数記憶する表示データ記憶部６ｃと、表示データの表示タイミングを指定する表示スケジュールデータや表示装置に関する各種設定データを記憶するデータ記憶部６ｄと、後に詳しく説明する巡回冗長検査プログラムを記憶する巡回冗長検査プログラム記憶部６ｄとからなっている。
【００１４】
７はＣＰＵで、メモリ６で記憶するプログラムやデータに従い表示処理手順をこなす。８はＶＲＡＭで、表示画面３のドットマトリクス構成に対応しており、キャラクタデータ１文字分に相当する１６×１６ドットのマトリクスを基準にして、複数文字分のドットデータを展開可能な記憶領域を備えている。表示データは、フォントを表す文字コードや、イメージデータに与えられた識別コードなどの配列からなるデータであり、表示画面３で表示するためには表示画面のＬＥＤ配列に対応したドット情報に変換する必要がある。そこで、前記表示用フォント記憶部６ｂから読み出したドットパターンや、ユーザーが作成した外字フォントのドットパターン、イメージデータのドットパターンをＶＲＡＭ８の記憶領域に展開した後、表示制御データとして出力するのである。９はプログラマブルロジックデバイスで、ＶＲＡＭ８から出力される表示制御データを受け、セグメントドライバ５にＬＥＤ点滅データを出力するとともにコモンドライバ４にスキャン駆動信号を出力し、表示画面３をダイナミック表示駆動する。１０はリアルタイムクロックＩＣで、ＣＰＵから任意のタイミングで要求を受け、年・日付・曜日を出力する。１１は通信インターフェースで、信号ケーブル１２を介して表示データ編集装置１に接続し、表示データ編集装置で作成した表示データや表示スケジュール、その他各種データをメモリ６へ転送可能にしている。また、図示しないが、通信インターフェース１１にはモデム・ターミナルアダプタ等の通信機器を接続することも可能で、商用通信回線を介して表示装置２と表示データ編集装置１とを接続することができる。１３はリモコンで、表示画面３付近に設けられたリモコン受信部１３ａ、リモコンインターフェース１３ｂを介して通信を行い、リモコン操作に伴い表示画面３に表示されるメニューに従って表示データの作成や変更、あるいは表示スケジュールデータの設定やその他各種データ設定を行うことができる。
【００１５】
次に表示データ編集装置１の構成について、図２を基に説明する。１５はパソコンであり、表示データ編集プログラム１６と、巡回冗長検査プログラム１７と、フォントキャッシュ１８と、インターフェース１９と、データ入出力装置２０と、データ記憶領域２１とを備えている。表示データ編集プログラム１６は、表示装置２に表示する表示データや、そのスケジュールデータを作成するためのアプリケーションプログラムである。このプログラムを起動し、図示しないキーボードやマウスを操作することにより、表示データの新規作成、作成済み表示データの編集、新しい表示スケジュールの付与、表示スケジュール内容の変更などを行うことができる。また、表示データ編集プログラム１６はデータ通信機能も備えており、表示データ編集装置側の表示データを表示装置側にデータ転送したり、データ転送時に破損した異常データを発見したらエラー表示を行うか否かの設定をすることもできる。更には、異常データを発見した場合に、エラー表示を行った上で異常データを正常なデータで上書きするかの設定も行うことができる。
【００１６】
表示データ編集プログラムで作成される表示データは、複数の番組データで構成されている。また、番組データはいくつかの単位データが集まって構成されている。単位データとは、一続きの表示動作を行う文章や画像からなる言わば細切れのデータであり、完結した表示動作を備えている。例えば表示画面の右端から左端へ１回スクロール表示をする「いらっしゃいませ」などの文章がこれに相当する。番組データとは複数の単位データが集まって構成する１つのグループであり、例えば、「和食店」「夏」といった番組名のもとで表示内容に関連性のある単位データがいくつか収められ、全体としてストーリー性のある表示を行う。最初に番組名を付与し、次に番組データの中に収める個々の単位データを作成することで１つの番組データが作成される。このとき、番組データを新規に作成した場合には編集フラグを「０」にセットし、作成済み番組データの内容を編集した場合には編集フラグを「１」にセットする。この編集フラグは番組データの改訂を表すフラグ情報であり、「０」は新規作成された最初の状態を表し、「１」は途中で編集が行われ内容に変更が加わった状態を表す。
【００１７】
巡回冗長検査（ＣＲＣ）プログラム１７は、データ通信における伝送誤りの検出方法として用いられている巡回冗長検査（Ｃｙｃｌｉｃ  Ｒｅｄｕｎｄａｎｃｙ  Ｃｈｅｃｋｓ）を行うプログラムである。転送する前のデータを生成多項式で除算（２進数演算のうちのモジュロ２除算）し、その剰余をＣＲＣコードとしてデータに付加しておき、転送後のデータが同じ生成多項式で割り切れるか否かによりデータの誤り有無を検出するものである。本実施例では、表示データ編集プログラム１６で表示データを新規作成したり作成済み表示データを編集する際に、番組データごとにＣＲＣコードを与えておき、表示データ編集装置１側で記憶している表示データと、表示装置２側で記憶している表示データとの間の更新状況・データ破損を検出するのに用いられる。なお、表示装置２の巡回冗長検査プログラム記憶部６ｅに記憶する巡回冗長検査プログラムも同機能を備えており、リモコン１３を操作して表示装置側で表示データの作成や変更を行った時に単位データごとにＣＲＣコードを与える。また、表示データ編集装置から表示装置に転送されて記憶した表示データを表示装置側でリモコン編集した場合には、編集作業が行われたことを示す編集フラグを「１」にする。
【００１８】
表示データ編集装置側の表示データと、表示装置側の表示データとの間のデータ更新状況・データ破損の検出は、具体的には次のように行われる。まず、表示データ編集装置１から表示装置２に表示データを転送する際に、これから転送しようとする表示データの番組名・ＣＲＣコードと、表示装置側で記憶している表示データの番組名・ＣＲＣコードとを比較する。同じ番組名でＣＲＣコードが一致していればデータの内容も一致しており、またデータ破損も発生していないと判断することができる。同じ番組名でＣＲＣコードが一致していないときは、各番組データに対する編集作業の有無を示すフラグ情報をチェックする。フラグ情報が「１」であれば、表示装置側の番組データに対してリモコンによる編集作業が行われたか、あるいは表示データ編集装置側の番組データに対して編集作業が行われたかを表しており、データ破損ではなく編集作業によるＣＲＣコード不一致と判断することができる。同じ番組名でＣＲＣコードが一致せず、フラグ情報が「０」であればデータ破損が発生したと判断することができる。
【００１９】
フォントキャッシュ１８は、パソコンのＯＳ（オペレーティングシステム）にインストールされているベクタ情報のフォント（スケーラブルフォント）を、ドットイメージに変換して格納する。表示データ編集プログラム１６によって表示データを作成する際に、キーボードから文字が入力されると、入力された文字に対応する（ドットで表された）フォントイメージがフォントキャッシュ１８から出力される。インターフェース１９には、モデムやターミナルアダプタ（ＴＡ）あるいはレベルシフタなどが接続され、商用通信回線（図示しない）や信号ケーブル１２を介して表示装置２に接続する。データ入出力装置２０はＣＤ−ＲＯＭドライブ・ＤＶＤドライブ等のデータ入出力装置であり、メディアを介して各種データを保存したり、受け渡しを行うことができる。データ記憶領域２１には、図３に示すように表示データ２１ａと表示スケジュール２１ｂが記憶されている。既に説明したように表示データ２１ａは単数または複数の番組データで構成されており、番組データは固有の番組名（「番組データ１」「番組データ２」）と固有のＣＲＣコード（「ＣＲＣコードＡ」「ＣＲＣコードＢ」）を持ち、また編集フラグ情報と共に複数の単位データを備えている。ちなみに、図４に示すように、表示装置２の表示データ記憶部６ｃにも同じように番組データが記憶される。表示データ編集装置１より、表示装置２に記憶している表示データに関する問い合わせを受けた際には、表示データ記憶部６ｃの記憶内容に基づいて返信する。もちろん、表示データ編集装置１から新たな表示データ転送による上書きがあった場合には記憶内容は書き換えられ、また、表示装置側でリモコン１３による編集があった場合には、ＣＲＣコード・編集フラグ・単位データ共に書き換えられる。
【００２０】
次に、表示データ編集装置１から表示装置２へ表示データを転送する際の動作について図５を基にして説明する。まず、信号ケーブル１２や商用通信回線（図示しない）を介して表示データ編集装置１と表示装置２とを接続し、表示装置２に記憶している全番組データの番組名、ＣＲＣコード、編集フラグを表示データ編集装置１へ読み込む（Ｓ１）。次に、読み込んだ内容と表示データ編集装置１から表示装置２へ転送しようとする表示データとを比較し（Ｓ２）、同じ番組名の番組データ同士でＣＲＣコードが一致するか確認する（Ｓ３）。表示装置から読み込んだ全ての番組データ（に関する情報）について、同じ番組名同士でのＣＲＣコードの一致を確認し（Ｓ４）、ＣＲＣコードが一致しない番組データが存在したら編集フラグが「１」であるかを確認する（Ｓ５）。編集フラグが「１」であれば、表示装置側でリモコン編集が行われたか、あるいは表示データ編集装置側で番組データに対して編集作業が行われたことによってＣＲＣコードが一致しないものと判断し、その番組データを登録対象のデータとする（Ｓ６）。すなわち、表示装置側に記憶されているその番組データを、表示データ編集装置から転送する新たな番組データで上書きする。Ｓ５において編集フラグが「０」であれば、表示装置側でも表示データ編集装置側でも編集作業が行われていないのにＣＲＣコードが一致しないことにより、その番組データに異常が発生したと判断し（Ｓ７）、登録対象のデータから除外する。
【００２１】
全ての番組データについてＣＲＣコードの一致を確認し終え（Ｓ４）、異常な番組データが存在したら（Ｓ８）、エラー表示を行うか否かの設定を確認する（Ｓ９）。表示データ編集プログラムによってエラー表示を行うよう設定されていたら、表示データ編集装置のモニタ上に異常データの履歴を表示して（Ｓ１０）終了する。Ｓ９においてエラー表示を行う設定がされていなければ、次に、異常なデータが存在したときに正常なデータで上書きするか否かの設定を確認し（Ｓ１１）、上書きを行う設定がされていたら、異常が発生した番組データを登録対象のデータとする（Ｓ１２）。Ｓ８において異常な番組データが存在しなければ、次に、登録対象の番組データが存在するか否かを確認し（Ｓ１３）、存在すれば、登録対象の番組データのみを表示装置に転送して表示データ記憶部６ｃに登録する（Ｓ１４）。
【図面の簡単な説明】
【００２２】
【図１】本発明実施例に関わる電光表示システムの全体構成を示すブロック図である。
【図２】電光表示システムを構成する表示データ編集装置を詳しく示す説明図である。
【図３】表示データ編集装置のデータ記憶領域２１の構成を示す説明図である。
【図４】表示装置が備える表示データ記憶部の構成を示す説明図である。
【図５】表示データ編集装置から表示装置への表示データ通信処理を示すフローチャートである。
【符号の説明】
【００２３】
１    表示データ編集装置
２    表示装置
３    表示画面
６    メモリ
６ｅ    巡回冗長検査プログラム記憶部
７    ＣＰＵ
１５    パソコン
１６    表示データ編集プログラム
１７    巡回冗長検査プログラム
【図１】
2006038892.tif 000002
【図２】
2006038892.tif 000003
【図３】
2006038892.tif 000004
【図４】
2006038892.tif 000005
【図５】
2006038892.tif 000006